(57)【要約】【課題】リモコン収納バーの収納部にリモコン本体を収納するタイプである場合に、見栄えが良く、リモコン本体を収納部から取り出しやすく、収納しやすいように工夫したキッチン設備を提供する。【解決手段】キッチン設備の近傍に配置されたリモコン操作機器（昇降棚ユニット）２を操作するためのリモコン本体１０を、上方から着脱可能に収納するための収納部１１ｂを上面に有するリモコン収納バー１１が設けられ、リモコン収納バー１１は、キッチン用フロアキャビネット１のシンク３の部分の幕板１２とカウンター１３との間に形成された横長のスリット１４に対して出没するように支持機構１５で支持されて、使用時は、支持機構１５を介してスリット１４内から前方に突出されるとともに、不使用時は、支持機構１５を介してスリット１４内に没入されるように構成されている。【選択図】図５
2008073474.tif 000002
【特許請求の範囲】
【請求項１】
キッチン設備の近傍に配置されたリモコン操作機器を操作するためのリモコン本体を、上方から着脱可能に収納するための収納部を上面に有するリモコン収納バーが設けられ、リモコン収納バーは、キッチン用フロアキャビネットのシンク部分の幕板とカウンターとの間に形成された横長のスリットに対して出没するように支持機構で支持されて、使用時は、支持機構を介してスリット内から前方に突出されるとともに、不使用時は、支持機構を介してスリット内に没入されるように構成されていることを特徴とするキッチン設備。
【請求項２】
前記支持機構は、往復旋回可能なアーム部材であることを特徴とする請求項１に記載のキッチン設備。
【請求項３】
前記支持機構は、往復直進可能なスライド部材であることを特徴とする請求項１に記載のキッチン設備。
【請求項４】
前記支持機構は、往復直進可能なパンタグラフ部材であることを特徴とする請求項１に記載のキッチン設備。
【請求項５】
前記リモコン収納バーは、スリット内に没入された時、前面が幕板と面一となるように形成されていることを特徴とする請求項１〜４のいずれか一項に記載のキッチン設備。
【請求項６】
前記リモコン収納バーは、スリット内から前方に突出された時、幕板との間に空間が形成されていることを特徴とする請求項１〜５のいずれか一項に記載のキッチン設備。
【請求項７】
前記リモコン収納バーの突出位置を調整する調整部材が設けられていることを特徴とする請求項２に記載のキッチン設備。
【請求項８】
前記調整部材は、アーム部材を当接させて往旋回を停止させるとともに、リモコン収納バーの立ち上がり部に当接させることを特徴とする請求項７に記載のキッチン設備。
【請求項９】
前記リモコン収納バーの突出位置の後方に位置するフロアキャビネットのリモコン収納バー対向面は、開閉操作不能な化粧板で覆われていることを特徴とする請求項２に記載のキッチン設備。
【請求項１０】
前記アーム部材に、没入位置に復旋回させるときに、リモコン収納バーとアーム部材との間に指の挟み込みを避けるための隙間を確保する凹部が形成されていることを特徴とする請求項２に記載のキッチン設備。
【請求項１１】
前記アーム部材に加えて、リモコン収納バーを受け支えるサブアーム部材が設けられていることを特徴とする請求項２に記載のキッチン設備。
【請求項１２】
前記リモコン収納バーを没入位置にロックするロック機構は、上下左右方向に移動可能であることを特徴とする請求項１〜１１のいずれか一項に記載のキッチン設備。
【発明の詳細な説明】
【技術分野】
【０００１】
本発明は、リモコン操作機器を操作するためのリモコン本体を収納するリモコン収納バーが設けられたキッチン設備に関する。
【背景技術】
【０００２】
従来、キャビネットの前面上部に、スイッチ付きのもたれバー（リモコン収納バー）を備えたキッチンが提案されている（特許文献１参照）。
【０００３】
その目的とするところは、照明、換気扇、水栓、給湯器等のようなキッチンで使用される機器のスイッチ操作のために移動等する手間を省き、手元で集中的にスイッチ操作できる多機能なもたれバーを備えたキッチンを実現することである。
【０００４】
この背景技術は、具体的には、もたれバーのスイッチ取付孔内にスイッチ装置を装入してビス等で固定し、スイッチ装置とキッチンで使用される機器とを電線で接続するものである。
【０００５】
また、もたれバーにスイッチ装置を着脱自在に取り付けるために、もたれバーにスイッチ装置の取り付け片を引っ掛けて弾力的に装着するタイプもあり、このような着脱自在のスイッチ装置の場合には、ワイヤレスタイプのリモートスイッチにすることも可能であるとしている。
【特許文献１】特開２００２−１５３３３９号公報
【発明の開示】
【発明が解決しようとする課題】
【０００６】
しかしながら、キッチン設備に設けられたリモコン収納バー等のようなバー部材の収納部に、キッチン設備の近傍に設置されたリモコン操作機器を操作するためのリモコン本体を収納するタイプとするような場合には、見栄えが良いこと、リモコン本体を収納部から取り出しやすくすること、リモコン本体を収納部に収納しやすくすること等のような工夫が要望されている。
【０００７】
本発明は、前記要望に応えるためになされたもので、リモコン収納バーの収納部にリモコン本体を収納するタイプである場合に、見栄えが良く、リモコン本体を収納部から取り出しやすく、収納しやすいように工夫したキッチン設備を提供することを目的とするものである。
【課題を解決するための手段】
【０００８】
前記課題を解決するために、本発明は、キッチン設備の近傍に配置されたリモコン操作機器を操作するためのリモコン本体を、上方から着脱可能に収納するための収納部を上面に有するリモコン収納バーが設けられ、リモコン収納バーは、キッチン用フロアキャビネットのシンク部分の幕板とカウンターとの間に形成された横長のスリットに対して出没するように支持機構で支持されて、使用時は、支持機構を介してスリット内から前方に突出されるとともに、不使用時は、支持機構を介してスリット内に没入されるように構成されていることを特徴とするキッチン設備を提供するものである。
【０００９】
前記支持機構は、請求項２のように、往復旋回可能なアーム部材である構成、請求項３のように、往復直進可能なスライド部材である構成、請求項４のように、往復直進可能なパンタグラフ部材である構成のいずれかを採用することができる。
【００１０】
請求項５のように、前記リモコン収納バーは、スリット内に没入された時、前面が幕板と面一となるように形成されていることが好ましい。
【００１１】
請求項６のように、前記リモコン収納バーは、スリット内から前方に突出された時、幕板との間に空間が形成されていることが好ましい。
【００１２】
請求項７のように、前記リモコン収納バーの突出位置を調整する調整部材が設けられていることが好ましい。
【００１３】
請求項８のように、前記調整部材は、アーム部材を当接させて、往旋回を停止させるとともに、リモコン収納バーの立ち上がり部に当接させることが好ましい。
【００１４】
請求項９のように、前記リモコン収納バーの突出位置の後方に位置するフロアキャビネットのリモコン収納バー対向面は、開閉操作不能な化粧板で覆われていることが好ましい。
【００１５】
請求項１０のように、前記アーム部材に、没入位置に復旋回させるときに、リモコン収納バーとアーム部材との間に指の挟み込みを避けるための隙間を確保する凹部が形成されていることが好ましい。
【００１６】
請求項１１のように、前記アーム部材に加えて、リモコン収納バーを受け支えるサブアーム部材が設けられていることが好ましい。
【００１７】
請求項１２のように、前記リモコン収納バーを没入位置にロックするロック機構は、上下左右方向に移動可能であることが好ましい。
【発明の効果】
【００１８】
本発明によれば、キッチン用フロアキャビネットのシンク部分の幕板とカウンターとの間に横長のスリットを形成して、リモコン収納バーを支持機構で支持することにより、使用時には、支持機構を介してリモコン収納バーをスリット内から前方に突出させることで、使用し易いようになるとともに、不使用時には、支持機構を介してリモコン収納バーをスリット内に没入させることで、見栄えが向上するようになる。
【００１９】
また、シンク部分の幕板の奥のデッドスペース（奥にシンクの下部分が位置する関係で、引き出し等を設けることができない。）を有効に利用して、支持機構等を設けることができる。
【００２０】
さらに、リモコン収納バーの上面の収納部に、リモコン本体を上方から着脱可能に収納することができるから、使用時には、リモコン本体を収納部から上方に取り出すことで、リモコン収納バーの近辺においてリモコン操作機器を操作できるとともに、不使用時には、リモコン本体を上方から収納部に直ちに収納できるので、リモコン本体を別の場所に置き忘れ、あるいは紛失するおそれがなくなる。
【００２１】
請求項２のような旋回式のアーム部材、請求項３，４のような直進式のスライド部材やパンタグラフ部材によって、リモコン収納バーをスムーズに出没移動させることができる。
【００２２】
請求項５によれば、スリット内に没入されたリモコン収納バーの前面が幕板と面一となるので、より見栄えが向上するようになる。
【００２３】
請求項６によれば、使用時にリモコン収納バーをスリット内から前方に突出させると、幕板との間に空間が開くことで、シンクからの飛水等が空間を通過できるから、例えばこの空間が板等で閉鎖されている場合と比較すると、飛水等が閉鎖板等に付着して溜まることが無いので、不衛生にならなくなる。
【００２４】
請求項７によれば、リモコン収納バーの突出位置を調整する調整部材を設けると、突出位置のリモコン収納バーとカウンターの前端との間に空間が開かないように調整できるので、空間での指の挟み込みのおそれが無くなるとともに、空間からアーム部材等の内部機構が見えなくなって見栄えが向上するようになる。加えて、カウンターの出寸法は、キッチン用フロアキャビネットのシリーズ（品番）によって異なることから、リモコン収納バーの突出位置を調整することで、カウンターの出寸法が異なるシリーズ（品番）にも適応させることができる。
【００２５】
請求項８によれば、アーム部材の当接による衝撃をリモコン収納バーの立ち上がり部で受け止めることができるので、調整部材をリモコン収納バーに固定するためのねじ等が衝撃で緩むおそれがなくなる。
【００２６】
請求項９によれば、リモコン収納バーの突出位置の後方に位置するフロアキャビネットのリモコン収納バー対向面を開閉操作不能な化粧板で覆うことで、扉や引き出しのように開閉操作ができないので、誤ってリモコン収納バーを損傷するおそれを未然に防止できるようになる。
【００２７】
請求項１０によれば、リモコン収納バーの前下部を指で握ったままで没入位置に復旋回させる場合において、凹部で隙間が確保されるので、リモコン収納バーとアーム部材との間に指を挟み込むおそれが少なくなる。
【００２８】
請求項１１によれば、左右一対のアーム部材に加えてサブアーム部材を設けると、横長のリモコン収納バーの撓みやすい端部分を受け支えることができるので、リモコン収納バーの傾きを未然に防止できるようになる。
【００２９】
請求項１２によれば、リモコン収納バーが経年変化で位置が徐々にずれ、これに伴って、リモコン収納バー側のストライカの位置が徐々にずれても、ストライカの位置ずれに応じてロック機構が移動することで、ストライカとロック機構のストライカ係合孔との係合関係を常に正確に保持できるようになる。
【発明を実施するための最良の形態】
【００３０】
以下、本発明を実施するための最良の形態について、図面を参照しながら詳細に説明する。
【００３１】
図１および図２に示すように、キッチン設備には、フロアキャビネット１が設置されているとともに、フロアキャビネット１の上方には、昇降棚ユニット２が設置されている。
【００３２】
フロアキャビネット１の上には、シンク３や電磁調理器４等が配置され、フロアキャビネット１の前面側には、シンク３に対応させて、引き出し可能な収納イス５が設けられている。
【００３３】
昇降棚ユニット２は電動式であり、例えば２台の収納棚２Ｂ，２Ｃがそれぞれ独立に昇降できるように設けられている。収納棚２Ｂ，２Ｃの内、シンク３で洗った食器等を収納する収納棚には、乾燥器（不図示）が付設されている場合がある。昇降棚ユニット２の横には、昇降式換気扇２Ａが設置されている。また、キッチンの天井等には、キッチンを照明するための照明器具（不図示）が取り付けられている。
【００３４】
電動式の昇降棚ユニット２、乾燥器、昇降式換気扇２Ａ、照明器具等は、キッチン設備の近傍に設置されたリモコン操作機器を構成する。
【００３５】
これらのリモコン操作機器は、リモコン本体１０（図４参照）のスイッチ操作で操作することができる。昇降棚ユニット２は、例えば上昇・下降・停止の操作、乾燥器のオンオフや強弱、タイマー等を操作することができ、照明器具は、例えばオンオフや明暗等を操作することができる。
【００３６】
図２に示したように、フロアキャビネット１のシンク３の部分の前面上部には、リモコン本体１０を上方から着脱可能に収納するための収納部１１ｂ〔図４（ｂ）参照〕を上面に有するリモコン収納バー１１が設けられている。
【００３７】
図４（ａ）（ｂ）に詳細に示したように、リモコン収納バー１１の上面には、長さ方向の両側位置に、長さ方向に延びる長方形状の凹部である収納部１１ｂがそれぞれ形成されている。
【００３８】
リモコン本体１０は２個設けられて、リモコン収納バー１１の各収納部１１ｂに上方からそれぞれ着脱可能に収納可能な直方体形状に形成されるとともに、上面の操作パネル１０ａにスイッチ類１０ｂが設けられている。
【００３９】
左側のリモコン本体１０は、例えば換気扇２Ａと収納棚２Ｂの上昇・下降・停止の操作、乾燥器のオンオフや強弱、タイマー等の操作と照明器具のオンオフや明暗等の操作をすることができ、右側のリモコン本体１０は、例えば収納棚２Ｃの上昇・下降・停止の操作と照明器具のオンオフや明暗等の操作をすることができる。
【００４０】
リモコン本体１０の上部には、収納部１１ｂとの間の隙間の上方をオーバーハングしてカバーする大きさに設定された摘み部１０ｃが形成され、この摘み部１０ｃは、図４（ｂ）のように、リモコン本体１０を収納部１１ｂから上方に取り出す時に指で摘むことができる。
【００４１】
リモコン収納バー１１は、不使用時には、図１のように、シンク３の部分の幕板１２と前面１１ａが面一となるように没入できるとともに（矢印ａ参照）、使用時には、図２または図３のように、シンク３の部分の幕板１２よりも前方に突出できるようになる（矢印ｂ参照）。なお、図３では、引き出し可能な収納イス５に幕板１２を設けたが、収納イス５が無いタイプでは、幕板１２は、フロアキャビネット１に固定されている。図５以下においては、フロアキャビネット１に幕板１２が固定されているタイプを例示している。
【００４２】
図５（ａ）はフロアキャビネット１のシンク３の部分の縦断面図、図５（ｂ）はカウンター１３を上に外したフロアキャビネット１のシンク３の部分の斜視図である。
【００４３】
フロアキャビネット１のシンク３の部分の幕板１２とカウンター１３との間には、横長のスリット１４が形成されている。このシンク３の部分の幕板１２の奥にはシンク３の下部分が位置する関係で、奥行きの浅い空間しか残されていないので、奥行きが必要な引き出し等を設けることができないために、通常は、何も無いデッドスペースＤＳとなっている。
【００４４】
そして、リモコン収納バー１１は、このスリット１４に嵌り合う外形状に形成されて、このスリット１４内に設けられた支持機構（後述）１５で、使用時は、支持機構１５を介してスリット１４内から前方に突出されるとともに〔図５（ａ）（ｂ）の状態〕、不使用時は、支持機構１５を介してスリット１４内に没入されるように構成されている。この没入時に、リモコン収納バー１１の前面１１ａがシンク３の部分の幕板１２と面一となる。
【００４５】
図６は、往復旋回可能なアーム部材１６を用いた第１実施形態の支持機構１５であり、（ａ）は斜視図、（ｂ）は略画的平面図である。
【００４６】
スリット１４内には、左右一対のアーム部材１６が配置されて、各アーム部材１６の後端部のピン１６ａがスリット１４内の奥位置の下面に回動可能に支持されるとともに、各アーム部材１６の前端部のピン１６ｂがリモコン収納バー１１の裏面に旋回可能に支持されている。
【００４７】
これにより、リモコン収納バー１１は、使用時には、アーム部材１６の往旋回（矢印ｃ参照）によって、実線のように、スリット１４内から前方に旋回しながら突出されるとともに、不使用時は、アーム部材１６の復旋回（矢印ｄ参照）によって、二点鎖線のように、スリット１４内に旋回しながら没入されるようになる。
【００４８】
スリット１４内の奥位置には、公知のプッシュ・プッシュ式のロック機構１８が設けられていて、不使用時に、第１回目のプッシュ操作でリモコン収納バー１１をスリット１４内に没入させた時に、この没入位置にリモコン収納バー１１をロックするとともに、使用時に、リモコン収納バー１１を第２回目のプッシュ操作をすると、そのロックが解除されるようになる。
【００４９】
アーム部材１６には、アーム部材１６を往旋回（矢印ｃ参照）方向に付勢するスプリング（不図示）が設けられて、リモコン収納バー１１を第１回目のプッシュ操作でスリット１４内に没入させる時は、このスプリングの付勢力に抗してロック機構１８でロックするとともに、リモコン収納バー１１が第２回目のプッシュ操作でロックが解除された時は、このスプリングの付勢力でリモコン収納バー１１が往旋回（矢印ｃ参照）するようになる。
【００５０】
このスプリングの付勢力でリモコン収納バー１１が往旋回して、シンク３の部分の幕板１２よりも前方に所定の突出量で突出した位置で、ストッパー（不図示）により往旋回が停止されるようになる。
【００５１】
また、リモコン収納バー１１がストッパーにより往旋回が停止された時に、この状態で、復旋回しないように、すなわち、往旋回位置でロックするとともに、ロック解除ボタン１９のプッシュ操作等でロック解除することで、復旋回方向に旋回できるようにすることが好ましい。このようにすれば、リモコン収納バー１１が不用意に往旋回位置から復旋回方向に旋回しないので、安全性が向上するようになる。
【００５２】
前記のようにキッチン設備を構成すれば、キッチン用フロアキャビネット１のシンク３の部分の幕板１２とカウンター１３との間に横長のスリット１４を形成して、リモコン収納バー１１をアーム部材（支持機構）１６で支持することにより、使用時には、アーム部材１６を介してリモコン収納バー１１をスリット１４内から前方に突出させることで、使用し易いようになる。
【００５３】
また、不使用時には、アーム部材１６を介してリモコン収納バー１１をスリット１４内に没入させることで、見栄えが向上するようになる。
【００５４】
特に、リモコン収納バー１１は、スリット１４内に没入された時、前面１１ａが幕板１２と面一となるので、より見栄えが向上するようになる。
【００５５】
さらに、シンク３の部分の幕板１２の奥のデッドスペースＤＳを有効に利用して、アーム部材１６を設けることができる。
【００５６】
さらにまた、アーム部材１６によって、リモコン収納バー１１をスムーズに出没移動させることができる。
【００５７】
また、リモコン収納バー１１を左右一対のアーム部材１６で支持することで、リモコン収納バー１１がスリット１４内から前方に突出された時、幕板１２との間に空間Ｓが開くことで、シンク３からの飛水等が空間Ｓを通過できるから、例えばこの空間Ｓが板等で閉鎖されている場合と比較すると、飛水等が閉鎖板等に付着して溜まることが無いので、不衛生にならなくなる。
【００５８】
さらに、リモコン収納バー１１の上面の収納部１１ｂに、リモコン本体１０を上方から着脱可能に収納することができるから、使用時には、リモコン本体１０を収納部１１ｂから上方に取り出すことで、リモコン収納バー１１の近辺において昇降棚ユニット２等のリモコン操作機器を操作できるとともに、不使用時には、リモコン本体１０を上方から収納部１１ｂに直ちに収納できるので、リモコン本体１０を別の場所に置き忘れ、あるいは紛失するおそれがなくなる。
【００５９】
図７は、往復直進可能なスライド部材２０を用いた第２実施形態の支持機構１５であり、（ａ）はフロアキャビネット１のシンク３の部分の縦断面図、（ｂ）はカウンター１３を外したフロアキャビネット１のシンク３の部分の斜視図である。
【００６０】
スリット１４内のフロアキャビネット１の左右の側壁１ａ〔図５（ａ）（ｂ）では、フロアキャビネット１に向かって左の側壁１ａのみを図示して、右の側壁１ａの図示を省略している。〕には、前後方向に延在する略Ｃ字形状のレール２１がそれぞれ取付けられて、各レール２１にスライド部材２０が前後方向に往復直進可能にそれぞれ支持されている。各スライド部材２０の先端部には、リモコン収納バー１１の両端部が固定されている。
【００６１】
これにより、リモコン収納バー１１は、使用時には、スライド部材２０の往直進（矢印ｅ参照）によって、スリット１４内から前方に直進しながら突出されるとともに、不使用時は、スライド部材２０の復直進（矢印ｆ参照）によって、スリット１４内に直進しながら没入されるようになる。
【００６２】
スリット１４内の奥位置には、公知のプッシュ・プッシュ式のロック機構１８が設けられていて、不使用時に、第１回目のプッシュ操作でリモコン収納バー１１をスリット１４内に没入させた時に、この没入位置にリモコン収納バー１１をロックするとともに、使用時に、リモコン収納バー１１を第２回目のプッシュ操作をすると、そのロックが解除されるようになる。
【００６３】
スライド部材２０のブラケット２３には、スライド部材２０を往直進（矢印ｅ参照）方向に付勢するスプリング２２が設けられて、リモコン収納バー１１を第１回目のプッシュ操作でスリット１４内に没入させる時は、このスプリング２２の付勢力に抗してロック機構１８でロックするとともに、リモコン収納バー１１が第２回目のプッシュ操作でロックが解除された時は、このスプリング２２の付勢力でリモコン収納バー１１が往直進（矢印ｅ参照）するようになる。
【００６４】
このスプリング２２の付勢力でリモコン収納バー１１が往直進して、シンク３の部分の幕板１２よりも前方に所定の突出量で突出した位置で、ストッパー（不図示）により往直進が停止されるようになる。
【００６５】
また、リモコン収納バー１１がストッパーにより往直進が停止された時に、この状態で、復直進しないように、すなわち、往直進位置でフロアキャビネット１の側壁１ａの前端１ｂに係止ロックされるロック突起２４がスライド部材２０に設けられて、このロック突起２４のプッシュ操作でロック解除することで、復直進方向に直進できるようになっている。このようにすれば、不用意にリモコン収納バー１１が往直進位置から復直進方向に直進しないので、安全性が向上するようになる。
【００６６】
前記のようにキッチン設備を構成すれば、キッチン用フロアキャビネット１のシンク３の部分の幕板１２とカウンター１３との間に横長のスリット１４を形成して、リモコン収納バー１１をスリット１４内のスライド部材（支持機構）２０で支持することにより、使用時には、スライド部材２０を介してスリット１４内から前方に突出させることで、使用し易いようになる。
【００６７】
また、不使用時には、スライド部材２０を介してスリット１４内に没入させることで、見栄えが向上するようになる。
【００６８】
特に、リモコン収納バー１１は、スリット１４内に没入された時、前面１１ａが幕板１２と面一となるので、より見栄えが向上するようになる。
【００６９】
さらに、シンク３の部分の幕板１２の奥のデッドスペースＤＳを有効に利用して、スライド部材２０を設けることができる。なお、レール２１とスライド部材２０は、奥行き方向に長いものであるが、シンク３の左右両側部と側壁１ａとの間の僅かな隙間に位置させることができる。
【００７０】
さらにまた、スライド部材２０によって、リモコン収納バー１１をスムーズに出没移動させることができる。
【００７１】
また、リモコン収納バー１１を左右一対のスライド部材２０で支持することで、リモコン収納バー１１がスリット１４内から前方に突出された時、幕板１２との間に空間Ｓが開くことで、シンク３からの飛水等が空間Ｓを通過できるから、例えばこの空間Ｓが板等で閉鎖されている場合と比較すると、飛水等が閉鎖板等に付着して溜まることが無いので、不衛生にならなくなる。なお、リモコン収納バー１１は、左右一対のスライド部材２０で両持ち支持しているが、シンク３の横幅が非常に広い等の理由があれば、いずれか一方のスライド部材２０で片持ち支持することもできる。
【００７２】
その他、リモコン収納バー１１の上面の収納部１１ｂに、リモコン本体１０を上方から着脱可能に収納することができることの作用効果は、第１実施形態と同様である。
【００７３】
図８〜図１０は、往復直進可能なパンタグラフ部材２６を用いた第３実施形態の支持機構１５であり、図８は、カウンター１３を外したフロアキャビネット１のシンク３の部分の斜視図である。図９（ａ）はリモコン収納バー１１の突出位置の平面図、（ｂ）は正面図、（ｃ）は側面図である。図１０（ａ）はリモコン収納バー１１の没入位置の平面図、（ｂ）は側面図である。
【００７４】
カウンター１３の前端部よりもやや奥まった位置に幕板１２が取付けられ、この幕板１２の前方に横長長方形状の化粧パネル２７が配置され、この化粧パネル２７の内面上端部にリモコン収納バー１１が固定されている。
【００７５】
幕板１２と化粧パネル２７との間には、左右一対の菱形状パンタグラフ部材２６が配置されて、各パンタグラフ部材２６の後部が幕板１２に固定されるとともに、各パンタグラフ部材２６の前部が化粧パネル２７の裏面に固定されている。
【００７６】
これにより、リモコン収納バー１１は、使用時には、パンタグラフ部材２６の往直進〔図９（ｃ）の矢印ｇ参照〕によって、化粧パネル２７とともにスリット１４内から前方に直進しながら突出されるとともに、不使用時は、パンタグラフ部材２６の復直進〔図９（ｃ）の矢印ｈ参照〕によって、化粧パネル２７とともにスリット１４内に直進しながら没入されるようになる。
【００７７】
スリット１４内の奥位置には、公知のプッシュ・プッシュ式のロック機構１８が設けられていて、不使用時に、第１回目のプッシュ操作で化粧パネル２７とともにリモコン収納バー１１をスリット１４内に没入させた時に、この没入位置に化粧パネル２７をロックするとともに、使用時に、化粧パネル２７を第２回目のプッシュ操作をすると、そのロックが解除されるようになる。
【００７８】
左右のパンタグラフ部材２６には、連動シャフト２８が貫通されるとともに、各パンタグラフ部材２６には、パンタグラフ部材２６を往直進（矢印ｇ参照）方向に付勢するスプリング２９が設けられて、化粧パネル２７とともにリモコン収納バー１１を第１回目のプッシュ操作でスリット１４内に没入させる時は、このスプリング２９の付勢力に抗してロック機構１８でロックするとともに、化粧パネル２７が第２回目のプッシュ操作でロックが解除された時は、このスプリング２９の付勢力で化粧パネル２７とともにリモコン収納バー１１が往直進（矢印ｇ参照）するようになる。
【００７９】
このスプリング２９の付勢力で化粧パネル２７とともにリモコン収納バー１１が往直進して、シンク３の部分の幕板１２よりも前方に所定の突出量で突出した位置で、連動シャフト２８のストッパー（不図示）でパンタグラフ部材２６の往直進を規制することにより、化粧パネル２７とともにリモコン収納バー１１の往直進が停止されるようになる。
【００８０】
また、リモコン収納バー１１がストッパーにより往直進が停止された時に、この状態で、復直進しないように、すなわち、往直進位置でロックするとともに、ロック解除ボタン（不図示）のプッシュ操作等でロック解除することで、復直進方向に直進できるようにすることが好ましい。このようにすれば、リモコン収納バー１１を手で握ったり、リモコン収納バー１１に身体をもたれかけたりしても、リモコン収納バー１１が往直進位置から復直進方向に直進しないので、安全性が向上するようになる。
【００８１】
前記のようにキッチン設備を構成すれば、キッチン用フロアキャビネット１のシンク３の部分の幕板１２とカウンター１３との間に横長のスリット１４を形成して、リモコン収納バー１１をパンタグラフ部材（支持機構）２６で支持することにより、使用時には、パンタグラフ部材２６を介してスリット１４内から前方に突出させることで、使用し易いようになる。
【００８２】
また、不使用時には、パンタグラフ部材２６を介してスリット１４内に没入させることで、見栄えが向上するようになる。
【００８３】
さらに、シンク３の部分の幕板１２の奥のデッドスペースＤＳを有効に利用して、パンタグラフ部材２６を設けることができる。
【００８４】
さらにまた、パンタグラフ部材２６によって、リモコン収納バー１１をスムーズに出没移動させることができる。
【００８５】
また、リモコン収納バー１１を左右一対のパンタグラフ部材２６で支持することで、リモコン収納バー１１がスリット１４内から前方に突出された時、幕板１２との間に空間Ｓが開くことで、シンク３からの飛水等が空間Ｓを通過できるから、例えばこの空間Ｓが板等で閉鎖されている場合と比較すると、飛水等が閉鎖板等に付着して溜まることが無いので、不衛生にならなくなる。
【００８６】
その他、リモコン収納バー１１の上面の収納部１１ｂに、リモコン本体１０を上方から着脱可能に収納することができることの作用効果は、第１実施形態と同様である。
【００８７】
次に、往復旋回可能なアーム部材１６を用いた第１実施形態の支持機構１５を例にとって、より具体的な構造を説明する。
【００８８】
図１１（ａ）（ｂ）に示すように、リモコン収納バー１１は、没入位置〔図１２（ａ）参照〕から前方に突出した時には、所定の突出位置〔図１２（ｂ）参照〕で、ストッパー（不図示）により往旋回が停止されるようになっている。
【００８９】
そして、第１実施形態では、リモコン収納バー１１がスリット１４内から前方に突出された時、幕板１２との間に空間Ｓ〔図１２（ｃ）参照〕が開くことで、シンク３からの飛水等が空間Ｓを通過できるように工夫したものであった。
【００９０】
しかしながら、空間Ｓが生じると、指の挟み込みの問題やアーム部材１６等の内部機構が見えて見栄えが悪くなるという問題が発生することもある。そこで、前記のストッパー位置を変えることで、突出位置のリモコン収納バー１１とカウンター１３の前端（若しくは幕板１２）との間に空間Ｓが開かないように、アーム部材１６の往旋回を停止させることもできる。
【００９１】
また、施工時に、フロアキャビネット１とカウンター１３との取付け位置がずれ、あるいはフロアキャビネット１に対するアーム部材１６の取付け位置がずれたような場合には、図１１（ｃ）、図１２（ｃ）のように、突出位置のリモコン収納バー１１とカウンター１３の前端（若しくは幕板１２）との間に空間Ｓが開くことがある。逆に、図１２（ｄ）のように、リモコン収納バー１１の突出量が少なすぎると、カウンター１３の前端にリモコン収納バー１１が被さって、リモコン送受信の光ラインｊが遮られることがある。
【００９２】
そこで、施工後に、リモコン収納バー１１の突出位置を調整できる工夫が必要となり、その対策の実施形態を図１３および図１４に基づいて説明する。
【００９３】
フロアキャビネット１のシンク３の部分の幕板１２とカウンター１３との間に形成されたスリット１４内の奥位置に取付けられる横長四角形状のベース基板３５が設けられ、このベース基板３５の上部にＬ字状のベースプレート３６が固定され、このベースプレート３６の下面部３６ａに、前記左右一対のアーム部材１６の後端部のピン１６ａが回動可能に支持されるとともに、各アーム部材１６の前端部のピン１６ｂがリモコン収納バー１１の裏面１１ｃに旋回可能に支持されている。
【００９４】
図１３において、右側のアーム部材１６のさらに右側位置には、サブアーム部材３７が配置され、このサブアーム部材３７の後端部のピン３７ａがベースプレート３６の下面部３６ａに回動可能に支持されるとともに、サブアーム部材３７の前端部の長穴３７ｃを挿通するピン３７ｂがリモコン収納バー１１の裏面１１ｃに旋回可能に支持されている。
【００９５】
このように、左右一対のアーム部材１６に加えてサブアーム部材３７を設けると、横長のリモコン収納バー１１の撓みやすい端部分を受け支えることができるので、リモコン収納バー１１の傾きを未然に防止できるようになる。
【００９６】
第１実施形態では、リモコン収納バー１１の往旋回を停止させるために、ストッパー（不図示）を設けていたが、図１３および図１４に示すように、リモコン収納バー１１の裏面１１ｃには、リモコン収納バー１１の突出位置を調整できる調整部材（ストッパー）３９が設けられている。
【００９７】
調整部材３９は、長方形状の厚板で構成されて、左右位置に長穴３９ａが形成され、各長穴３９ａの周囲部分には滑り止め凹凸部３９ｂが放射状に形成されるとともに、指掛かり凹凸部３９ｃが形成されている。
【００９８】
この調整部材３９は、リモコン収納バー１１の裏面１１ｃの立ち上がり部１１ｄに長さ方向の端縁３９ｄを当接させた状態で、一方の長穴３９ａにワッシャー４０ａを介してねじ４０ｂを挿通させ、このねじ４０ｂをリモコン収納バー１１の裏面１１ｃにねじ込むことで、調整部材３９をワッシャー４０ａで押さえ込んで、リモコン収納バー１１の裏面１１ｃに固定できるようになっている。
【００９９】
そして、施工後に、リモコン収納バー１１の突出位置を調整する時は、先ず、リモコン収納バー１１を調整後の突出位置まで突出させ、この状態を保持して、ねじ４０ｂを少し緩めた調整部材３９の指掛かり凹凸部３９ｃに指を当てがい、端縁３９ｄを立ち上がり部１１ｄに当接させながら長さ方向に移動させて（矢印ｐ参照）、右側のアーム部材１６の前端縁１６ｃに当接させ、ねじ４０ｂを再びねじ込んで調整部材３９をリモコン収納バー１１に固定する。これにより、右側のアーム部材１６は、リモコン収納バー１１が調整後の突出位置まで突出した往旋回角度で停止されるようになる。
【０１００】
このように、リモコン収納バー１１の突出位置を調整する調整部材３９を設けると、突出位置のリモコン収納バー１１とカウンター１３の前端（若しくは幕板１２）との間に空間Ｓが開かないように調整できるので、空間Ｓでの指の挟み込みのおそれが無くなるとともに、空間Ｓからアーム部材１６等の内部機構が見えなくなって見栄えが向上するようになる。加えて、カウンター１３の出寸法は、キッチン用フロアキャビネット１のシリーズ（品番）によって異なることから、リモコン収納バー１１の突出位置を調整することで、カウンター１３の出寸法が異なるシリーズ（品番）にも適応させることができる。
【０１０１】
また、アーム部材１６の前端縁１６ｃが調整部材３９に当接した時に、調整部材３９の端縁３９ｄは、リモコン収納バー１１の立ち上がり部１１ｄに当接しているから、アーム部材１６の当接による衝撃をリモコン収納バー１１の立ち上がり部１１ｄで受け止めることができるので、ねじ４０ｂが衝撃で緩むおそれがなくなる。
【０１０２】
さらに、図１２（ｂ）のように、リモコン収納バー１１の上面の後部に立ち上がり部１１ｅを形成すると、リモコン収納バー１１の突出位置でカウンター１３との間の上下方向の隙間を塞ぐことができるので、指の挟み込みのおそれがより無くなるとともに、アーム部材１６等の内部機構が見えなくなって見栄えがより向上するようになる。
【０１０３】
第１実施形態では、アーム部材１６を往旋回方向に付勢するスプリング（不図示）を設けていたが、図１５に示すように、ベースプレート３６にダンパー４２を取付け、このダンパー４２の回転軸４２ａに、最もロック（ラッチ）機構１８に近いアーム部材１６〔図１３（ａ）（ｂ）では、左端のアーム部材１６〕の後端部を固定する一方、回転軸４２ａにコイルスプリング４３を巻き付け、このコイルスプリング４３の一端部を回転軸４２ａに係止するとともに、他端部をベースプレート３６に係止して、コイルスプリング４３の付勢力でダンパー４２の回転軸４２ａを介してアーム部材１６を往旋回方向に付勢するように構成することができる。
【０１０４】
この場合、ダンパー４２によって、アーム部材１６の往旋回に制動力（ブレーキ）が作用するので、アーム部材１６がゆっくりと往旋回するようになる。また、ダンパー４２をロック（ラッチ）機構１８に近づけることで、モーメントが小さくなるために、ロック（ラッチ）機構１８にかかる力を軽減させることができる。
【０１０５】
図１６に示すように、リモコン収納バー１１は、実線のように、スリット１４内から前方に旋回しながら突出されることから（矢印ｋ参照）、リモコン収納バー１１の突出位置の後方に位置するフロアキャビネット１のリモコン収納バー対向面に扉や引き出しが存在すると、扉や引き出しを開けるとリモコン収納バー１１に当たって、リモコン収納バー１１を損傷するおそれがある。
【０１０６】
そこで、リモコン収納バー１１の突出位置の後方に位置するフロアキャビネット１のリモコン収納バー対向面を開閉操作不能な化粧板４４で覆うことで、扉や引き出しのように開閉操作ができないので、誤ってリモコン収納バー１１を損傷するおそれを未然に防止できるようなる。
【０１０７】
図１７（ａ）に示すように、突出位置のリモコン収納バー１１を下方から見上げた場合、リモコン収納バー１１の真下にアーム部材１６が位置しているから、リモコン収納バー１１の前下部を指で握ったままで、リモコン収納バー１１を没入位置に復旋回させた場合、リモコン収納バー１１とアーム部材１６との間に指を挟み込むおそれがある。
【０１０８】
そこで、リモコン収納バー１１の突出位置で、アーム部材１６の前端部に、リモコン収納バー１１の前下部にオーバーラップする凸部１６ｄ〔図１４（ａ）参照〕を形成して鋭角部分を無くすることで、リモコン収納バー１１とアーム部材１６との間に指を挟み込むおそれが少なくなる。
【０１０９】
また、アーム部材１６の中間部に大きな台形状の凹部１６ｅ〔図１４（ａ）参照〕を形成して隙間（一点鎖線ｍ参照）を確保することで、図１７（ｂ）〜（ｅ）のように、リモコン収納バー１１を没入位置に復旋回させる過程においても隙間ｍが確保されるようになるので、リモコン収納バー１１とアーム部材１６との間に指を挟み込むおそれが少なくなる。
【０１１０】
第１実施形態では、プッシュ・プッシュ式のロック機構１８で没入位置にリモコン収納バー１１をロックするようにしていたが、図１８（ａ）（ｂ）に示すように、ベースプレート３６の立ち上がり部３６ｂに、ロック（ラッチ）機構１８のハウジング１８ａが上下左右方向に移動可能な大きめの開口３６ｃを形成するとともに、立ち上がり部３６ｂの前後位置に、ロック機構１８のハウジング１８ａが嵌合状態で貫通する開口４６ａを有する取付けプレート４６をそれぞれ設ける。
【０１１１】
そして、ロック（ラッチ）機構１８のハウジング１８ａは、前側の取付けプレート４６の開口４６ａを貫通させ、ついで、ベースプレート３６の立ち上がり部３６ｂの開口３６ｃを貫通させ、さらに、後側の取付けプレート４６の開口４６ａを貫通させた後に、ハウジング１８ａのロック爪１８ｂを後側の取付けプレート４６の開口４６ａの縁部に係止することで、ロック（ラッチ）機構１８を前側と後側の取付けプレート４６とで、ベースプレート３６の立ち上がり部３６ｂに挟み込んだ状態で取付けることができる。
【０１１２】
これにより、ロック（ラッチ）機構１８は、上下左右方向（矢印ｎ参照）を含む全方向に移動可能となるから、リモコン収納バー１１が経年変化で往復旋回位置が徐々にずれ、これに伴って、リモコン収納バー１１側のストライカ４７〔図１３（ｂ）参照〕の位置が徐々にずれても、ストライカ４７の位置ずれに応じてロック（ラッチ）機構１８が移動することで、ストライカ４７とロック（ラッチ）機構１８のストライカ係合孔１８ｃとの係合関係を常に正確に保持できるようになる。なお、ロック（ラッチ）機構１８の移動構造は、第１実施形態以外の実施形態にも適用することができる。
【図面の簡単な説明】
【０１１３】
【図１】本発明の実施形態に係るリモコン収納バーを没入させたキッチン設備の斜視図である。
【図２】図１のリモコン収納バーを突出させたキッチン設備の斜視図である。
【図３】図１のリモコン収納バーを突出させ、収納棚等を下降させたキッチン設備の斜視図である。
【図４】リモコン収納バーであり、（ａ）はリモコン本体を収納した斜視図、（ｂ）はリモコン本体を取り出した斜視図である。
【図５】（ａ）はフロアキャビネットのシンク部分の縦断面図、（ｂ）はカウンターを上に外したフロアキャビネットのシンク部分の斜視図である。
【図６】往復旋回可能なアーム部材を用いた第１実施形態の支持機構であり、（ａ）は斜視図、（ｂ）は略画的平面図である。
【図７】往復直進可能なスライド部材を用いた第２実施形態の支持機構であり、（ａ）はフロアキャビネットのシンクの部分の縦断面図、（ｂ）はカウンターを外したフロアキャビネットのシンク部分の斜視図である。
【図８】往復直進可能なパンタグラフ部材を用いた第３実施形態の支持機構であり、カウンターを外したフロアキャビネットのシンク部分の斜視図である。
【図９】（ａ）はリモコン収納バーの突出位置の平面図、（ｂ）は正面図、（ｃ）は側面図である。
【図１０】（ａ）はリモコン収納バーの没入位置の平面図、（ｂ）は側面図である。
【図１１】シンクの部分に設けたリモコン収納バーであり、（ａ）は調整後の突出位置の斜視図、（ｂ）は調整後の突出位置の要部拡大図、（ｃ）は調整前の突出量が多すぎる位置の要部拡大図である。
【図１２】図１１のリモコン収納バーであり、（ａ）は没入位置の側面図、（ｂ）は調整後の突出位置の側面図、（ｃ）は調整前の突出量が多すぎる位置の側面図、（ｄ）は調整前の突出量が少なすぎる位置の側面図である。
【図１３】リモコン収納バーと支持機構であり、（ａ）は上方から見た斜視図、（ｂ）は下方から見た斜視図である。
【図１４】調整部材であり、（ａ）は図１３（ｂ）の要部拡大斜視図、（ｂ）は調整部材の斜視図である。
【図１５】アーム部材を往旋回方向に付勢するコイルスプリングとダンパーの斜視図である。
【図１６】リモコン収納バーと化粧板との関係を示す平面図である。
【図１７】（ａ）〜（ｅ）は、突出位置のリモコン収納バーを没入位置に復旋回させるときのアーム部材の動きをそれぞれ示す底面図である。
【図１８】ロック（ラッチ）機構であり、（ａ）は取付け構造の分解斜視図、（ｂ）は側面断面図である。
【符号の説明】
【０１１４】
１      フロアキャビネット
３      シンク
１０    リモコン本体
１１    リモコン収納バー
１１ａ  前面
１１ｂ  収納部
１１ｄ  立ち上がり部
１２    幕板
１３    カウンター
１４    スリット
１５    支持機構
１６    アーム部材
１６ｅ  凹部
１８    ロック機構
１９    ロック解除ボタン
２０    スライド部材
２６    パンタグラフ部材
２７    化粧パネル
３７    サブアーム部材
３９    調整部材
４４    化粧板
ＤＳ    デッドスペース
Ｓ      空間
【図１】
2008073474.tif 000003
【図２】
2008073474.tif 000004
【図３】
2008073474.tif 000005
【図４】
2008073474.tif 000006
【図５】
2008073474.tif 000007
【図６】
2008073474.tif 000008
【図７】
2008073474.tif 000009
【図８】
2008073474.tif 000010
【図９】
2008073474.tif 000011
【図１０】
2008073474.tif 000012
【図１１】
2008073474.tif 000013
【図１２】
2008073474.tif 000014
【図１３】
2008073474.tif 000015
【図１４】
2008073474.tif 000016
【図１５】
2008073474.tif 000017
【図１６】
2008073474.tif 000018
【図１７】
2008073474.tif 000019
【図１８】
2008073474.tif 000020